(57)【特許請求の範囲】
【請求項１】
略カップ状に形成され開口部の内周にリブを設けた容器本体と、略カップ状に形成され前記容器本体内部に挿入可能に形成したレフィル容器とからなるパウダー容器であって、
前記レフィル容器の開口部の外周に複数の突片を設けて前記リブの下側に位置させることにより前記リフィル容器を前記容器本体に係止し得るよう構成すると共に、前記リブに切欠き部を設け、且つ前記レフィル容器の開口部の外周に前記突片よりも長く且つ前記切欠き部と略等しい幅に形成された把持用突片を設けて、前記パウダー容器に前記レフィル容器を係止する際に前記把持用突片が前記切欠き部に嵌入可能に構成したことを特徴とするパウダー容器。
【発明の詳細な説明】
【０００１】
【産業上の利用分野】
本発明はパウダーを充填したリフィル容器を容器本体内に着脱可能に取り付けられたパウダー容器に関するものであって、前記リフィル容器の着脱を容易にし、さらに容器本体内におけるリフィル容器の回転を防止するものである。
【０００２】
【従来の技術】
資源の有効活用などの観点から、コンパクト容器やパウダー容器などにおいて内容物のみを詰め替えるリフィル構造を有することが望ましい。従来から、たとえばリフィル容器を接着剤等にて本体容器の底面に貼着するものや、パウダー容器の内側壁にリブを突設し、リフィル容器の上端部にフランジ部を形成して、該フランジ部の外形寸法を前記リブの内径寸法よりも大寸に形成したものがある。
【０００３】
【発明が解決しようとする課題】
しかし上記した従来のパウダー容器においては、接着剤を使用した場合は取り外しに力が必要である。またリフィル容器の全周にフランジを形成した場合はこのリフィル容器をパウダー容器に係止または分離させるに際してフランジ部の全周に渡って撓ませる必要があり、要領が要求され、いずれの場合も円滑にリフィル容器の着脱ができないと言う問題点があった。
【０００４】
また特にリフィル容器の全周にフランジを設けた従来例においては、リフィル容器がパウダー容器内で回転してしまってパフにパウダーをつけづらいという問題が生じる虞があった。
【０００５】
【課題を解決するための手段】
上記課題を解決するために本発明に係るパウダー容器は、略カップ状に形成され開口部の内周にリブを設けた容器本体と、略カップ状に形成され前記容器本体内部に挿入可能に形成したレフィル容器とからなるパウダー容器であって、前記レフィル容器の開口部の外周に複数の突片を設けて前記リブの下側に位置させることにより前記リフィル容器を前記容器本体に係止し得るよう構成すると共に、前記リブに切欠き部を設け、且つ前記レフィル容器の開口部の外周に前記突片よりも長く且つ前記切欠き部と略等しい幅に形成された把持用突片を設けて、前記パウダー容器に前記レフィル容器を係止する際に前記把持用突片が前記切欠き部に嵌入可能に構成したことを特徴とする。
【０００６】
【発明の実施の形態】
本発明に係るパウダー容器の位置実施例を図を用いて説明する。図１はパウダー容器の全体斜視図、図２はパウダー容器にリフィル容器を着脱する際の動作を説明する図、図３は上面図、図４は側面断面図、図５は側面断面の拡大図である。
【０００７】
図１に示す容器本体１は略カップ状に形成されており、略円形の本体底面１ａと本体側壁１ｂとから構成され、該本体側壁１ｂの上端には開口部１ｃが形成されている。開口部１ｃの外周面には図示しない蓋体を嵌着させるための段部１ｄが形成され、内周面には内側に向かって突出するリブ２が設けられている。
【０００８】
リブ２のリブ上面２ｂは下方に向かって傾斜した傾斜面に形成され、リブ下面２ｃはリブ２の端方向へわずかに上方に向かって傾斜した傾斜面に形成されている。またリブ２の対抗する二箇所には切欠き部２ａが設けられている。これら切欠き部２ａは上方に向かって間隔の広がる傾斜面となるように形成されている。
【０００９】
リフィル容器３は上記容器本体１と同様略カップ状に形成されており、底面３ａと側壁３ｂとから構成され、また側壁３ｂの上端の外周にフランジ３ｃが形成されている。リフィル容器３の上面にはシール４が貼着されており、内部にパウダーを充填したリフィル容器３を密閉している。
【００１０】
リフィル容器３の側壁３ｂ及びフランジ３ｃの外径はリブ２の内径よりも小さく形成されると共に、底面３ａからフランジ３ｃまでの高さは本体底面１ａからリブ下面２ｃまでの高さよりも低く形成されている。
【００１１】
フランジ３ｃの縁部には、90度間隔に四箇所、直径方向外側に延長する如く突片３ｄが形成されている。対向する突片３ｄ、３ｄの先端同士の距離は、本体側壁１ｂの内径と略等しく設定されている。
【００１２】
また更にフランジ３ｃには、突片３ｄよりも長く延長された把持用突片３ｅが形成されている。把持用突片３ｅの幅は容器本体１の切欠き部２ａの幅と略等しく形成されている。
【００１３】
上記の如く構成した容器本体１とリフィル容器３とを着脱する操作を説明する。まずリフィル容器３を容器本体１に押し込む（図2(a)の矢印Ｘ方向）と、フランジ３ｃの突片３ｄがリブ２のリブ上面２ｂに当接し、リブに沿って撓む。更にリフィル容器３を容器本体１内に押し込むことによってフランジ３ｃがリブ２の内側に入り込み、図2(b)に示すようにリフィル容器３がパウダー容器内に係止される。
【００１４】
このとき突片３ｄがフランジ３ｃの全周にわたって形成されたものでなく、部分的に複数に分けて設けられていることにより、突片３ｄは個々に独立して撓むために大きな力を必要としない。
【００１５】
またリブ上面２ｂが下方に向かって傾斜していることにより突片３ｄのガイドとなって、突片３ｄを容易に撓ませて、容器本体１内部に押し込むことができる。この状態においては各々の突片３ｄがリブ２の下側へ潜り込み、パウダー容器２を傾けてもリフィル容器３が脱落しない。また、リブ下面２ｃがわずかに上方に向かって傾斜しているため、リフィル容器３を引き上げてこれを取り外す際にも突片３ｄが下方にたわみ、円滑にこれを取り外すことができる。
【００１６】
図３に示すようにリフィル容器３が容器本体１に係止された際には、リフィル容器３の把持用突片３ｅはリブ２の切欠き部２ａに位置をあわせて係止されている。すると把持用突片３ｅの長さが突片３ｄよりも長く形成されていることから、把持用突片３ｅは折り曲げられて切欠き部２ａ内に端部を配置される。
【００１７】
このとき把持用突片３ｅの幅を切欠き部２ａの幅と略等しく形成したことにより、把持用突片３ｅは切欠き部２ａ内に嵌入されて左右の移動を規制され、したがってリフィル容器３は容器本体１内において回転してしまうことを防止することができる。
【００１８】
こうして容器本体１に係止されたリフィル容器３は、図４に示すようにシール４を剥離した後に網皿６をのせて使用される。さらに開口部１ｃに中蓋８を嵌着させてパフ９を載置し、蓋体７を段部１ｄに嵌着して用いる。
【００１９】
また図５に拡大して示すように、切欠き部２ａが上方に向かって径の広がる傾斜面に形成されていることにより、把持用突片３ｅの上方先端は切欠き部２ａから離隔することとなる。したがって把持用突片３ｅの端部を引き起こして把持しやすく、これを容易に引き上げる（図2(c)の矢印Ｙ方向）ことができる。
【００２０】
すると図2(c)に示すように、突片３ｄがリブ下面２ｃに当接して撓み、突片３ｄとリブ２との係合が解除され、リフィル容器３を容器本体１から分離させることができる。しかる後に別途用意した新たなリフィル容器３を容器本体１に係止することにより、容器本体１を継続して使用することができる。
【００２１】
尚、上記実施例において突片３は90度間隔で四箇所設けて示したが、本発明はこれに限定されるものではなく、リフィル容器３を容器本体１内に係止しうる位置及び数、例えば120 度間隔で三箇所設ける等、他の構成を取り得る。たとえば３方向に設けたり、また把持用突片３ｅ近傍により多く設けることなどでも良い。
【００２２】
【発明の効果】
上記詳細に説明した如く本発明に係るパウダー容器は、リフィル容器のフランジに複数の突片を設けて部分的にパウダー容器に係止しうるよう構成したことにより、着脱に必要とされる力を軽減させてこれを容易に行うことができる。
【００２３】
また、取り出し用の把持用突片を本体リブの切欠き部に嵌入することにより、着脱の容易さを確保すると共に、容器本体内におけるリフィル容器の回転を防止することができる。したがって使用に際して取り扱いを容易なものとすることができる。
【図面の簡単な説明】
【図１】パウダー容器の全体斜視図である。
【図２】パウダー容器にリフィル容器を着脱する際の動作を説明する図である。
【図３】パウダー容器の上面図である。
【図４】パウダー容器の側面断面図である。
【図５】パウダー容器の側面断面の拡大図である。
【符号の説明】
１    …容器本体
１ａ  …本体底面
１ｂ  …本体側壁
１ｃ  …開口部
１ｄ  …段部
２    …リブ
２ａ  …切欠き部
２ｂ  …リブ上面
２ｃ  …リブ下面
３    …リフィル容器
３ａ  …底面
３ｂ  …側壁
３ｃ  …フランジ
３ｄ  …突片
３ｅ  …把持用突片
４    …シール
５    …パウダー
６    …網皿
７    …蓋体
８    …中蓋
９    …パフ
【図１】
0003847872.tif 000002
【図２】
0003847872.tif 000003
【図３】
0003847872.tif 000004
【図４】
0003847872.tif 000005
【図５】
0003847872.tif 000006